(57)【要約】      （修正有）【課題】自転車の梱包作業を１人でも、また女性等の力のない者でも、確実に、効率よく、且つ安全に行うことができる半自動自転車梱包装置を提供する。【解決手段】基台１０と、基台１０上に立設されて張り出し部２２を有する支柱２０と、張り出し部２２に沿って昇降するワイヤー又はチェーン３０と、ワイヤー又はチェーン３０の先端部に取り付けられた吊り下げ治具４０と、ワイヤー又はチェーン３０の下端部に配備されたバランサー５０と、バランサー５０に下端部で連結される昇降ロッド６１を有するエアシリンダー６０と、エアシリンダーを操作する操作スイッチ７０を備える。【選択図】図１
0003160092.tif 000002
【実用新案登録請求の範囲】
【請求項１】
自転車を半自動で梱包する半自動自転車梱包装置であって、
基台上に立設され、上部に前方への張り出し部を有する支柱と、
該支柱から前記張り出し部に沿って昇降自在に架設されたワイヤー又はチェーンと、
前記張り出し部の張り出し端側から垂下する前記ワイヤー又はチェーンの先端部に取り付けられた吊り下げ冶具と、
該吊り下げ冶具に吊り下げられた自転車との重量バランスをとるため、前記張り出し部の基端側から垂下する前記ワイヤー又はチェーンの下端部に配備されたバランサーと、
該バランサーに対して下端部で連結された昇降ロッドを有するエアーシリンダーと、
該エアーシリンダーの動作を操作する操作スイッチと、
を備え、
前記操作スイッチのオンにより、前記エアーシリンダーの昇降ロッドを前記バランサーと共に上昇させることで、前記ワイヤー又はチェーンの先端部に取り付けられた吊り下げ冶具を降下させ、これにより自転車に対する吊り下げ冶具の装着作業或いは脱着作業に供すると共に、操作スイッチのオフにより、前記エアーシリンダーの昇降ロッドをフリーにさせることで、前記吊り下げ冶具に吊り下げられた自転車と前記バランサーとをバランスさせ、これにより前記吊り下げ冶具に吊り下げられた自転車を手操作で昇降させて行う梱包箱への収納作業に供するように構成したことを特徴とする半自動自転車梱包装置。
【請求項２】
支柱は一対を基台上に平行に立設して設け、
張り出し部は一対をそれぞれ前記一対の支柱の上部から平行に張り出して設け、
ワイヤー又はチェーンは一対を前記一対の支柱及び張り出し部の間にそれら支柱及び張り出し部に平行に架設し、
前記吊り下げ冶具は、前記平行に架設された一対のワイヤー又はチェーンの各先端と連結される１本の水平バーと該水平バーに対してクロスするクロスバーとを少なくとも有し、前記水平バーの後端付近に自転車の後部に引っ掛けられる後部フックを設けると共に前記クロスバーに自転車のハンドルに引っ掛けられる一対のハンドルフックを設け、
前記バランサーは、前記一対のワイヤー又はチェーンの下端部間に配備されると共にワイヤー又はチェーンの下端部間の中央で前記エアーシリンダーの昇降ロッドの下端部と連結され、且つ錘の加減が可能とされ、
前記エアーシリンダーは、操作スイッチがオンされるとエアーをシリンダー内に導入させて昇降ロッドを上昇させ、操作スイッチがオフされるとエアーをシリンダー内から排出させて昇降ロッドをフリーにする構成とされることを特徴とする請求項１に記載の半自動自転車梱包装置。
【考案の詳細な説明】
【技術分野】
【０００１】
本考案は電動自転車を含む自転車を半自動で梱包する半自動自転車梱包装置に関する。
【背景技術】
【０００２】
自転車は自動車のように大きくはないので、梱包がなされて出荷される場合が多い。自転車の梱包には、自転車のほぼ全体をすっぽり収容できるような細長い直方体形状のケースを用いることが多い。
特開平７−２１５３８９号公報（特許文献１）には、電気自転車の梱包装置として、自転車本体の全体を覆う本体外箱（１３）を用いたものが開示されている。
特開２００３−３２１０８２号公報（特許文献２）には、自転車梱包具として、自転車全体を収容する容器状の梱包具（１０）を用いたものが開示されている。
一方、自転車を吊り上げて移動させる装置として、特開平１０−６１２３０号公報（特許文献３）には、手動操作による２輪車吊り上げ装置が開示されている。
【先行技術文献】
【特許文献】
【０００３】
【特許文献１】特開平７−２１５３８９号公報
【特許文献２】特開２００３−３２１０８２号公報
【特許文献３】特開平１０−６１２３０号公報
【考案の概要】
【考案が解決しようとする課題】
【０００４】
しかしながら、前記特許文献１、２に示すような梱包装置には、自転車全体を収容する梱包容器や梱包箱等を用いて作業を行う開示はあるものの、全ての梱包作業は作業員による手作業を前提としている。即ち従来は、自転車の梱包は通常、２人での作業とし、必要に応じて人力で自転車を持ち上げ、箱等に梱包するのが普通であった。
一方、前記特許文献３の２輪車吊り上げ装置は、立体駐輪に便利に用いられるものであるが、自転車の梱包作業にこのような２輪車吊り上げ装置を用いた場合には、ワイヤー（２１）の上げ下げのためのハンドル（１）操作が手動操作であるので、やはり大きな力を要する問題がある。またハンドル（１）操作と梱包操作との連携が難しい。特に自転車をワイヤー（２１）に吊った状態で、ゆっくりと自転車を手で上げ下げすることができないので、梱包箱等への安全で確実な収納ができない問題がある。
【０００５】
そこで本考案は上記従来技術の問題を解消し、自転車の梱包作業を１人でも、また女性等の力のない者でも、確実に、効率よく、且つ安全に行うことができる半自動の自転車梱包装置の提供を課題とする。
【課題を解決するための手段】
【０００６】
上記課題を達成するため本考案の半自動自転車梱包装置は、
自転車を半自動で梱包する半自動自転車梱包装置であって、
基台上に立設され、上部に前方への張り出し部を有する支柱と、
該支柱から前記張り出し部に沿って昇降自在に架設されたワイヤー又はチェーンと、
前記張り出し部の張り出し端側から垂下する前記ワイヤー又はチェーンの先端部に取り付けられた吊り下げ冶具と、
該吊り下げ冶具に吊り下げられた自転車との重量バランスをとるため、前記張り出し部の基端側から垂下する前記ワイヤー又はチェーンの下端部に配備されたバランサーと、
該バランサーに対して下端部で連結された昇降ロッドを有するエアーシリンダーと、
該エアーシリンダーの動作を操作する操作スイッチと、
を備え、
前記操作スイッチのオンにより、前記エアーシリンダーの昇降ロッドを前記バランサーと共に上昇させることで、前記ワイヤー又はチェーンの先端部に取り付けられた吊り下げ冶具を降下させ、これにより自転車に対する吊り下げ冶具の装着作業或いは脱着作業に供すると共に、操作スイッチのオフにより、前記エアーシリンダーの昇降ロッドをフリーにさせることで、前記吊り下げ冶具に吊り下げられた自転車と前記バランサーとをバランスさせ、これにより前記吊り下げ冶具に吊り下げられた自転車を手操作で昇降させて行う梱包箱への収納作業に供するように構成したことを第１の特徴としている。
また本考案の半自動自転車梱包装置は、上記第１の特徴に加えて、
支柱は一対を基台上に平行に立設して設け、
張り出し部は一対をそれぞれ前記一対の支柱の上部から平行に張り出して設け、
ワイヤー又はチェーンは一対を前記一対の支柱及び張り出し部の間にそれら支柱及び張り出し部に平行に架設し、
前記吊り下げ冶具は、前記平行に架設された一対のワイヤー又はチェーンの各先端と連結される１本の水平バーと該水平バーに対してクロスするクロスバーとを少なくとも有し、前記水平バーの後端付近に自転車の後部に引っ掛けられる後部フックを設けると共に前記クロスバーに自転車のハンドルに引っ掛けられる一対のハンドルフックを設け、
前記バランサーは、前記一対のワイヤー又はチェーンの下端部間に配備されると共にワイヤー又はチェーンの下端部間の中央で前記エアーシリンダーの昇降ロッドの下端部と連結され、且つ錘の加減が可能とされ、
前記エアーシリンダーは、操作スイッチがオンされるとエアーをシリンダー内に導入させて昇降ロッドを上昇させ、操作スイッチがオフされるとエアーをシリンダー内から排出させて昇降ロッドをフリーにする構成とされることを第２の特徴としている。
【考案の効果】
【０００７】
請求項１に記載の半自動自転車梱包装置によれば、操作スイッチがオフの初期待機状態において、作業者は梱包対象となる自転車を装置の下まで移動させることができる。次に操作スイッチをオン操作すると、上方にある吊り下げ冶具が自転車のある高さまで降下してくるので、作業者は吊り下げ冶具を自転車に装着させることができる。次に操作スイッチをオフ操作すると、バランサーと自転車とがワイヤー又はチェーンを介してバランスするので、作業者は手で自転車を簡単に上方へ、一旦退避させることができる。そしてこの状態で梱包箱を自転車の下にセットすることができる。更に作業者は手で自転車を梱包箱の開口との位置合わせを行いつつゆっくりと押し下げ、梱包箱の中に自転車を収容させることができる。収容が終わると、操作スイッチをオンすることで、吊り下げ冶具が降下した状態に強制保持され、自転車が箱内に安定するので、作業者は吊り下げ冶具を簡単に自転車から取り外すことができる。そして操作スイッチをオフ操作することで、吊り下げ冶具が上方の待機位置に戻るので、作業者は梱包箱の中に収容された自転車の残余の梱包に専念することができる。
以上のようにして、請求項１に記載の半自動自転車梱包装置によれば、自転車の梱包作業を１人でも、また女性等の力のない者でも、確実に、効率よく、且つ安全に行うことができる。
【０００８】
また請求項２に記載の半自動自転車梱包装置によれば、上記請求項１に記載の構成による作用効果に加えて、張り出し部を有する支柱を一対で平行に立設することで、装置のフレームを安定した状態に立設することができると共に、一対の張り出し部付きの支柱間にワイヤー又はチェーンを一対、平行にして架設することで、堅固で且つ安定してワイヤー又はチェーンを架設することができ、スムーズで安定したワイヤー又はチェーンの動作を確保することができる。
また吊り下げ冶具は、その水平バーが離間した２箇所で前記一対の平行なワイヤー又はチェーンの各先端に連結されるため、水平バーを常に安定した状態に保持することができる。加えて、前記水平バーの後端付近に設けられる後部フックで自転車の後部に引っ掛けると共に、クロスバーに設けられる一対のハンドルフックで自転車の左右のハンドルに引っ掛けることで、自転車を安定した姿勢で吊り下げることができる。
またバランサーは一対の平行なワイヤー又はチェーンの下端部間に配備され、且つ前記ワイヤー又はチェーンの下端部間の中央でエアーシリンダーの昇降ロッドの下端部に連結される構成となっているので、ワイヤー又はチェーンを安定した状態で昇降させることができる。勿論、バランサーは錘の加減が可能とされているので、自転車の種類が変わってもそれに対応してバランス調整を行うことができる。
またエアーシリンダーは、操作スイッチのオンで昇降ロッドを強制的に上昇させることにより、吊り下げ冶具を上方の初期待機位置から自転車近傍まで速やかに強制降下させ、作業者による自転車の吊り下げの準備を整えると共に、操作スイッチのオフで昇降ロッドをフリーの状態にすることにより、自転車とバランサーとによるバランス状態を確保し、作業員自身による自転車の昇降を伴う梱包作業を、力を要することなく簡単、容易に行うことを可能としている。
【図面の簡単な説明】
【０００９】
【図１】本考案の実施形態に係る半自動自転車梱包装置を示す斜視図である。
【図２】（Ａ）、（Ｂ）は梱包動作を説明する図である。
【図３】（Ａ）、（Ｂ）は梱包動作を説明する図である。
【図４】（Ａ）、（Ｂ）は梱包動作を説明する図である。
【考案を実施するための形態】
【００１０】
以下の図面を参照して、本考案の実施形態に係る半自動自転車梱包装置について説明する。
図１を参照して、本考案の半自動自転車梱包装置は、基台１０上に立設される支柱２０、ワイヤー又はチェーン３０、吊り下げ冶具４０、バランサー５０、エアーシリンダー６０、操作スイッチ７０等を備えている。
【００１１】
前記基台１０は、地面や床に設置されるもので、移動用のキャスター１１、固定用の足１２を備えている。
基台１０の上に支柱２０が立設される。
【００１２】
前記支柱２０は、一対の支柱２０ａ、２０ｂからなり、互いに平行に立設されている。符号２１は支柱２０の支持板である。
支柱２０は、その上部、具体的には上端に、前方に張り出した張り出し部２２を有している。該張り出し部２２も一対の張り出し部２２ａ、２２ｂからなり、各支柱２０ａ、２０ｂの上端から前方に平行に張り出した状態とされている。
張り出し部２２を備えた支柱２０を一対２０ａ、２０ｂで設けることにより、支柱２０を全体として堅固で安定なものとすることができる。よってワイヤー又はチェーン３０をその一対の支柱２０ａ、２０ｂの間に平行に架設することで、ワイヤー又はチェーン３０を安定した状態に架設することができる。
【００１３】
前記ワイヤー又はチェーン３０は、自転車１を吊り下げるためのもので、前記支柱２０から張り出し部２２に沿って、昇降自在に架設される。
このワイヤー又はチェーン３０も一対の平行なワイヤー又はチェーン３０ａ、３０ｂからなる。一対のワイヤー又はチェーン３０ａ、３０ｂを平行に配して用いることで、２本のワイヤー又はチェーンにより吊り下げ冶具４０を安定して保持することができると共に、バランサー５０を安定して取り付けることができる。
各ワイヤー又はチェーン３０ａ、３０ｂの先端は前記張り出し部２２の張り出し端に設けられた定滑車３１から垂下し、吊り下げ冶具４０と連結される。また各ワイヤー又はチェーン３０ａ、３０ｂの後端は前記張り出し部２２の基端に設けられた定滑車３２から垂下する。ワイヤー又はチェーン３０の下端部にバランサー５０が配備される。
以上のようにワイヤー又はチェーン３０は、平行な一対３０ａ、３０ｂが、前記張り出し部２２において水平且つ平行に架設され、張り出し部２２の張り出し端先端から下方へ平行に垂下し、また張り出し部２２の基端から平行な支柱２０ａ、２０ｂの間を下方へ平行に垂下するように配設される。
【００１４】
前記吊り下げ冶具４０は、自転車１を吊り下げるためのものである。１本の水平バー４１と、該水平バー４１に対して直角方向にクロスして設けられる一対の離間したクロスバー４２、４２と、該一対のクロスバー４２、４２の片側端から垂下する一対の垂下バー４３、４３と、その一対の垂下バー４３、４３間を連結する連結バー４４とで構成されている。
前記水平バー４１には、前記平行に離間した一対のワイヤー又はチェーン３０ａ、３０ｂの垂下する各先端部が連結している。ワイヤー又はチェーン３０ａ、３０ｂの一対が離間して取り付けられることで、水平バー４１の姿勢が安定する。
水平バー４１の後端付近にチェーン付の後部フック４５が設けられている。この後部フック４５は自転車１の後部、例えば荷台１ｂ、荷台のない自転車の場合は後輪のタイヤに引っ掛けるためのものである。図１では、後部フック４５は荷台１ｂに対して引っ掛けるものを図示している。
前記クロスバー４２、４２のうち前にあるクロスバー４２には一対のチェーン付のハンドルフック４６が設けられている。このハンドルフック４６は自転車１の左右のハンドル１ａに引っ掛けるためのものである。
前記後部フック４５やハンドルフック４６は、例えば鎖でぶら下げられており、鎖の長さを調節できるようにしている。これにより、種々の大きさの自転車に対応して、フック４５、４６を用いることができる。
また前記フック４５、４６は、その位置をスライドさせることができるように構成している。これにより種々の大きさの自転車に対応して適切な吊り上げを行うことができる。
【００１５】
前記一対の垂下バー４３、４３と連結バー４４は、作業者Ｓが自転車１を手で上げ下げする際の一種の操作枠を構成すると共に、自転車１と作業者Ｓとの間の衝突防止緩衝壁となっている。
前記操作枠の一部を構成する連結バー４４の付近に操作スイッチ７０が取り付けられている。この連結バー４４を手で引き上げ、引き下げて自転車１の昇降を行いながら、近傍にある操作スイッチ７０を操作してエアーシリンダー６０の操作も行うことができる。
【００１６】
前記バランサー５０は、吊り下げ冶具４０に吊り下げられた自転車１と重力バランスをとるものである。
バランサー５０は、前記張り出し部２２の基端から支柱２０に沿って垂下するワイヤー又はチェーン３０の下端部に配備される。より具体的には、バランサー５０は、一対のワイヤー又はチェーン３０ａ、３０ｂの下端部間を連結する連結台５１と、その上に加減自在に配設される錘５２とからなる。
バランサー５０は、自転車１が吊り下げ冶具４０に取り付けられている状態では自転車１をバランスさせる。一方、自転車１が取り付けられていない場合は、吊り下げ冶具４０よりも重いため、吊り下げ冶具４０を上方に移動させようとする。バランサー５０が最低位置（基台１０上面）まで下がると、吊り下げ冶具４０は最高位置の初期待機位置となる。この初期待機位置は少なくとも梱包箱Ｂの高さより高い位置となる。
【００１７】
前記エアーシリンダー６０は、昇降ロッド６１を有し、エアーの導入と排出とによって、図示しない内部のピストンを移動させることで前記昇降ロッド６１を強制移動させ或いはフリーの状態にするものである。
エアーシリンダー６０は、一対の支柱２０ａ、２０ｂ間の中央に垂直方向に配置されている。このエアーシリンダー６０の下端から前記昇降ロッド６１が下方に向けて移動可能に突出して設けられている。
そして本実施形態では、操作スイッチ７０がオンされると、エアーシリンダー６０内にエアーが導入され、エアーシリンダー６０内の図示しないピストンが上方に移動し、昇降ロッド６１が強制的に上昇せられる。一方、操作スイッチ７０がオフされると、エアーシリンダー６０内のエアーが開放され、これによってピストンがフリーの状態となり、昇降ロッド６１もフリーの状態となる。
前記昇降ロッド６１はその下端部で前記バランサー５０の連結台５１の中央部と連結されている。従って昇降ロッド６１が強制的に上昇されると、それに伴ってバランサー５０も強制上昇される。また昇降ロッド６１がフリーになると、昇降ロッド６１によるバランサー５０への強制力が解除されるので、バランサー５０の重みがワイヤー又はチェーン３０を介して吊り下げ冶具４０やそれに引っ掛けられた自転車１に働くことになる。
【００１８】
前記操作スイッチ７０は、前記エアーシリンダー６０を操作するスイッチである。本実施形態に用いられる操作スイッチ７０は、実際には、エアーシリンダー６０へのエアー導入及び開放を行うバルブの開閉を行うバルブ開閉スイッチである。このバルブ開閉スイッチは機械的な開閉スイッチであっても、また電磁的な開閉スイッチであってもよい。
操作スイッチ７０は作業者Ｓが作業するうえで便利な位置に配置されるのがよいが、本実施形態では、前記吊り下げ冶具４０の連結バー４４付近に取り付けて、作業者Ｓの便に供している。
符号７１は、操作スイッチ７０によりエアーが供給されていることを示す表示灯である。この表示灯７１は、実際には、操作スイッチ７０がオンされることで点灯し、その状態においてはエアーが前記エアーシリンダー６０に導入されて昇降ロッド６１が上昇した状態、即ち吊り下げ冶具４０が降下した状態となる。作業者は表示灯７１の点灯の有無により、エアーがエアーシリンダー６０に供給された状態か否かを知ることができるので、作業が行いやすく、また安全等を確かめることができる。
なお操作スイッチ７０には、エアーシリンダー６０のバルブ操作を行うための図示しない機械的配線或いは電気的配線が施されている。
【００１９】
次に図２〜図４も参照して、本考案の半自動自転車梱包装置による梱包動作を説明する。
先ず図２を参照して、今、操作スイッチ７０がオフで、吊り下げ冶具４０が上方の初期待機状態にある状態を、梱包開始状態とする。この状態で、作業者Ｓは梱包対象となる自転車１を半自動自転車梱包装置の前記吊り下げ冶具４０の下まで移動させる（図２（Ａ））。
次に作業者Ｓは片手で自転車を支え、もう一方の手で、操作スイッチ７０をオン操作する。すると表示灯７１が点灯すると共にエアーシリンダー６０の昇降ロッド６１が強制的に上昇され、これにより上方にある吊り下げ冶具４０が自転車１の付近まで降下してくる。作業者Ｓは、装着作業として、吊り下げ冶具４０のフック４５、４６を自転車１に引っ掛ける（図２（Ｂ））。
【００２０】
図３を参照して、自転車１に吊り下げ冶具４０を取り付けた後、作業者Ｓは操作スイッチ７０をオフする。これにより、表示灯７１が消灯すると共にエアーシリンダー６０の昇降ロッド６１がフリーの状態となり、自転車１とバランサー５０とがバランスした状態となる。作業者Ｓは手で自転車１を一旦上方に移動させ、待機させる（図３（Ａ））。このときバランスした自転車１の移動には力を要さない。
自転車１を上方に一旦移動、待機させた状態で、作業者Ｓは梱包箱Ｂを自転車１の下方にセットする。そして作業者Ｓは、自転車１を徐々に降下させながら、梱包箱Ｂの開口との位置合わせを行いつつ、梱包箱Ｂの中に自転車１を収容する（図３（Ｂ））。
【００２１】
図４を参照して、自転車１の梱包箱Ｂ内への収容が終わると、作業者Ｓは操作スイッチ７０をオンする。これにより表示灯７１が点灯し、エアーシリンダー６０の昇降ロッド６１が上昇し、吊り下げ冶具４０が降下した状態に保持されるので、作業者はフリーとなった手で自転車１からフック４５、４６を外して吊り下げ冶具４０の脱着作業を行う（図４（Ａ））。
吊り下げ冶具４０を自転車１から外し終わると、作業者Ｓは操作スイッチ７０をオフする。これにより表示灯７１が消灯し、昇降ロッド６１がフリーとなり、バランサー５０の重みで吊り下げ冶具４０が上昇し、初期待機位置に戻る。作業者Ｓは梱包箱Ｂによる自転車１の残余の梱包を完了させ、梱包の完了した自転車１を搬出させる（図４（Ｂ））。そして次の自転車１の梱包動作に移る。
【符号の説明】
【００２２】
１        自転車
１ａ      ハンドル
１ｂ      荷台
１０      基台
１１      キャスター
１２      足
２０      支柱
２０ａ    支柱
２０ｂ    支柱
２１      支持板
２２      張り出し部
２２ａ    張り出し部
２２ｂ    張り出し部
３０      ワイヤー又はチェーン
３０ａ    ワイヤー又はチェーン
３０ｂ    ワイヤー又はチェーン
３１      定滑車
３２      定滑車
４０      吊り下げ冶具
４１      水平バー
４２      クロスバー
４３      垂下バー
４４      連結バー
４５      後部フック
４６      ハンドルフック
５０      バランサー
６０      エアーシリンダー
６１      昇降ロッド
７０      操作スイッチ
７１      表示灯
Ｂ        梱包箱
Ｓ        作業者
【図１】
0003160092.tif 000003
【図２】
0003160092.tif 000004
【図３】
0003160092.tif 000005
【図４】
0003160092.tif 000006